(57)【要約】【課題】            光学式記録媒体において、それぞれ蛇行形成された記録領域、再生専用領域、不可領域から抽出されるウォブル信号のレベルを一定に保持する。【解決手段】        ＤＶＤ−ＲＷにおいて、記録情報が記録されるグルーブ部はグルーブトラックが蛇行形成され、不法複写を防止する役割を担う不可能領域及び再生専用領域は、複数の位相ピットが蛇行するピット列で配置される。そして、各領域においてピット深さ（グルーブ深さ）、ピット列のデューティ、ウォブリング振幅を所定の条件で設定することにより、ウォブリング振幅に基づいて抽出されるウォブル信号の出力レベルを各領域で一定に保持することができる。その結果、ＤＶＤ−ＲＷの記録再生時に高精度な同期制御を行うことができる。【選択図】          図１３
2006155884.tif 000002
【特許請求の範囲】
【請求項１】
記録情報を光学的に記録可能な光学式記録媒体において、一定周波数のウォブル信号を抽出するために蛇行して形成されたグルーブトラックに、前記記録情報が記録される第１の領域と、前記記録情報の再生制御に必要な制御データに対応する位相ピット列が蛇行して配置され、当該位相ピット列が前記制御データの読み出しを可能とし、かつ当該位相ピット列上に上書き記録された他のデータの読み出しを妨げるピット深さで形成された第２の領域と、所定のデータに対応する位相ピット列が蛇行して配置されており、当該位相ピット列が前記光学式記録媒体上に対する記録位置を示すアドレス情報を含むプリピットの読み出しを可能とし、かつ当該位相ピット列上に上書き記録された他のデータの読み出しを妨げるピット深さで形成された第３の領域と、を備え、前記第２の領域の蛇行振幅と前記第３の領域の蛇行振幅は、それぞれの領域から抽出されるウォブル信号の出力レベルが前記第１の領域から抽出されるウォブル信号の出力レベルと略同一となるように設定されることを特徴とする光学式記録媒体。
【請求項２】
少なくとも前記第１の領域及び前記第３の領域には、前記プリピットが形成されていることを特徴とする請求項１に記載の光学式記録媒体。
【請求項３】
前記第３の領域のピット深さは、前記第２の領域のグルーブトラックの深さと同一に設定されることを特徴とする請求項２に記載の光学式記録媒体。
【請求項４】
前記第１の領域は、グルーブトラックの深さが３０ｎｍに設定され、前記第２の領域は、ピット深さが８０ｎｍ、ピット列の平均デューティが略５０％、蛇行振幅が前記第１の領域の蛇行振幅の略２．７倍にそれぞれ設定され、前記第３の領域は、ピット深さが３０ｎｍ、ピット列の平均デューティが略８０％、蛇行振幅が前記第１の領域の蛇行振幅の略１．３倍にそれぞれ設定されることを特徴とする請求項３に記載の光学式記録媒体。
【請求項５】
前記第３の領域の蛇行振幅は、前記第１の領域の蛇行振幅と同一に設定されていることを特徴とする請求項２に記載の光学式記録媒体。
【請求項６】
前記第１の領域は、グルーブトラックの深さが３０ｎｍに設定され、前記第２の領域は、ピット深さが８０ｎｍ、ピット列の平均デューティが略５０％、蛇行振幅が前記第１の領域の蛇行振幅の略２．７倍にそれぞれ設定され、前記第３の領域は、ピット深さが５０ｎｍ、ピット列の平均デューティが略８０％、蛇行振幅が前記第１の領域の蛇行振幅と同一にそれぞれ設定されることを特徴とする請求項５に記載の光学式記録媒体。
【請求項７】
記録情報を光学的に記録可能な光学式記録媒体を、光ディスク原盤を用いて製造する光学式記録媒体製造装置において、一定周波数のウォブル信号により変調された光ビームを用いてグルーブトラックを蛇行させつつ前記光ディスク原盤にカッティングし、前記記録情報が記録される第１の領域を形成する第１の領域形成手段と、前記ウォブル信号により変調された光ビームを用いて、前記記録情報の再生制御に必要な制御データに対応する位相ピット列を、前記制御データの読み出しを可能とし、かつ当該位相ピット列上に上書き記録された他のデータの読み出しを妨げるピット深さにより、前記光ディスク原盤に蛇行させつつカッティングし、第２の領域を形成する第２の領域形成手段と、前記ウォブル信号により変調された光ビームを用いて、所定のデータに対応する位相ピット列を、前記光学式記録媒体上に対する記録位置を示すアドレス情報を含むプリピットの読み出しを可能とし、かつ当該位相ピット列上に上書き記録された他のデータの読み出しを妨げるピット深さにより、前記光ディスク原盤に蛇行させつつカッティングし、第３の領域を形成する第３の領域形成手段と、を備え、前記第２の領域形成手段と前記第３の領域形成手段では、前記光ディスク原盤を用いて製造された光学式記録媒体の再生時に前記それぞれの領域から抽出されるウォブル信号の出力レベルが前記第１の領域から抽出されるウォブル信号の出力レベルと略同一となるように、光ビームに対する前記ウォブル信号による変調の度合を設定することを特徴とする光学式記録媒体製造装置。
【請求項８】
前記第１の領域形成手段及び前記第３の領域形成手段は、前記プリピットを形成することを特徴とする請求項７に記載の光学式記録媒体製造装置。
【請求項９】
記録情報を光学的に記録可能な光学式記録媒体を、光ディスク原盤を用いて製造する光学式記録媒体製造方法において、一定周波数のウォブル信号により変調された光ビームを用いてグルーブトラックを蛇行させつつ前記光ディスク原盤にカッティングし、前記記録情報が記録される第１の領域を形成する第１の領域形成工程と、前記ウォブル信号により変調された光ビームを用いて、前記記録情報の再生制御に必要な制御データに対応する位相ピット列を、前記制御データの読み出しを可能とし、かつ当該位相ピット列上に上書き記録された他のデータの読み出しを妨げるピット深さにより、前記光ディスク原盤に蛇行させつつカッティングし、第２の領域を形成する第２の領域形成工程と、前記ウォブル信号により変調された光ビームを用いて、所定のデータに対応する位相ピット列を、前記光学式記録媒体上に対する記録位置を示すアドレス情報を含むプリピットの読み出しを可能とし、かつ当該位相ピット列上に上書き記録された他のデータの読み出しを妨げるピット深さにより、前記光ディスク原盤に蛇行させつつカッティングし、第３の領域を形成する第３の領域形成工程と、を備え、前記第２の領域形成工程と前記第３の領域形成工程では、前記光ディスク原盤を用いて製造された光学式記録媒体の再生時に前記それぞれの領域から抽出されるウォブル信号の出力レベルが前記第１の領域から抽出されるウォブル信号の出力レベルと略同一となるように、光ビームに対する前記ウォブル信号による変調の度合を設定することを特徴とする光学式記録媒体製造方法。
【請求項１０】
前記第１の領域形成工程及び前記第３の領域形成工程では、前記プリピットを形成することを特徴とする請求項９に記載の光学式記録媒体製造方法。
【発明の詳細な説明】
【技術分野】
【０００１】
本発明は、ＤＶＤ等の光学式記録媒体の技術分野に属し、特に、記録トラックを蛇行して形成した光学式記録媒体の技術分野に属する。
【背景技術】
【０００２】
近年、大容量の光学的情報記録媒体としてＤＶＤが広く一般化している。そして、再生専用のＤＶＤに加えて、記録情報を記録及び再生することができるＤＶＤ−ＲＷ（DVD‐Re-recordable）に関する規格が策定されつつある。このＤＶＤ−ＲＷの規格に従った光ディスク上には、所定のパターンで記録トラックとしてのグルーブトラックが形成される。そして、グルーブトラックは、一定周期で蛇行して形成することによりウォブリングが施され、記録時に一定周波数のウォブル信号を抽出することにより、ＤＶＤ−ＲＷの回転に同期する基準信号として用いることができる。
【０００３】
一方、ＤＶＤ−ＲＷに対する記録が可能であることから、例えば、ＤＶＤ―ＲＯＭに記録されている各種コンテンツデータをＤＶＤ−ＲＷに不法複写することが可能である。画像や音楽などのコンテンツは、通常、著作権の保護対象であり、何らかの方法でＤＶＤ−ＲＷに対する不法複写を防止することにより、著作権を有効に保護することが要請されている。
【０００４】
そこで、ＤＶＤ−ＲＷ（Ver.1.0）の規格では、不法複写を防止するための方策を定めており、ＤＶＤ−ＲＯＭにおける再生制御データ等が記録された記録領域に対応するＤＶＤ−ＲＷの領域に、予め所定のデータをエンボスピット列（位相ピット列）として埋め込むこととしている。これによれば、かかる領域にたとえ他の再生制御データが上書き記録されたとしても、上書き記録されたデータの再生信号はエンボスピット列による再生信号と干渉して読み取ることができなくなり、実質的に他の再生制御データの上書き記録を不能としている。
【発明の開示】
【発明が解決しようとする課題】
【０００５】
しかしながら、かかるエンボスピット列が埋め込まれた領域は、グルーブが断続形成されていることに等しいため、その領域から抽出されるウォブル信号の出力レベルが、連続グルーブとされた記録データが記録される領域から抽出されるウォブル信号の出力レベルより低く、安定にＤＶＤ−ＲＷの同期検出を行うことができなくなることが問題となる。
【０００６】
そこで、本発明は上述した問題点に鑑みて成されたものであり、グルーブトラックに施したウォブリングに基づくウォブル信号を常に一定にレベルに保ち、安定な同期制御を実現することができる光学式情報記録媒体を提供することを目的とする。
【課題を解決するための手段】
【０００７】
上記の課題を解決するために、請求項１に記載の光学式記録媒体は、記録情報を光学的に記録可能な光学式記録媒体において、一定周波数のウォブル信号を抽出するために蛇行して形成されたグルーブトラックに、前記記録情報が記録される第１の領域と、前記記録情報の再生制御に必要な制御データに対応する位相ピット列が蛇行して配置され、当該位相ピット列が前記制御データの読み出しを可能とし、かつ当該位相ピット列上に上書き記録された他のデータの読み出しを妨げるピット深さで形成された第２の領域と、所定のデータに対応する位相ピット列が蛇行して配置されており、当該位相ピット列が前記光学式記録媒体上に対する記録位置を示すアドレス情報を含むプリピットの読み出しを可能とし、かつ当該位相ピット列上に上書き記録された他のデータの読み出しを妨げるピット深さで形成された第３の領域とを備え、前記第２の領域の蛇行振幅と前記第３の領域の蛇行振幅は、それぞれの領域から抽出されるウォブル信号の出力レベルが前記第１の領域から抽出されるウォブル信号の出力レベルと略同一となるように設定されることを特徴とする。
【０００８】
この発明によれば、光学式記録媒体を用いて、第１の領域には記録情報が記録されると共に、第２の領域と第３の領域には、それぞれ複数の位相ピットが形成され、不法複写の防止等の役割を担う。このとき、各領域が蛇行形状を有するので、ウォブル信号を抽出することができる。そして第２の領域と第３の領域ではピット深さが異なる場合であっても、そのウォブリング振幅が適切に設定されているので、基準となる第１の領域の場合と略同一のウォブル信号の出力レベルを得ることができる。よって、光学式記録媒体の異なる領域において常にウォブル信号の出力レベルを一定に保つことができ、高精度な同期制御に利用することができる。
【０００９】
請求項２に記載の光学式記録媒体は、請求項１に記載の光学式記録媒体において、少なくとも前記第１の領域及び前記第３の領域には、前記プリピットが形成されていることを特徴とする。
【００１０】
この発明によれば、請求項１に記載の発明と同様の作用に加えて、プリピットが第２の領域以外の領域に形成されている。よって、プリピットの有無に応じて、第２の領域と第３の領域の位相ピットを大きく異なるピット深さで形成する場合であっても、上述のようにウォブル信号の出力レベルを同一に保つことができる。
【００１１】
請求項３に記載の光学式記録媒体は、請求項２に記載の光学式記録媒体において、前記第３の領域のピット深さは、前記第２の領域のグルーブトラックの深さと同一に設定されることを特徴とする。
【００１２】
この発明によれば、請求項１、２に記載の発明と同様の作用に加えて、第１の領域のグルーブトラックの深さと第３の領域のピット深さが同一になっている。よって、第１の領域と第３の領域は、互いの蛇行振幅のみを変えるだけで、上述のようにウォブル信号の出力レベルを同一に保つことができる。
【００１３】
請求項４に記載の光学式記録媒体は、請求項３に記載の光学式記録媒体において、前記第１の領域は、グルーブトラックの深さが３０ｎｍに設定され、前記第２の領域は、ピット深さが８０ｎｍ、ピット列の平均デューティが略５０％、蛇行振幅が前記第１の領域の蛇行振幅の略２．７倍にそれぞれ設定され、前記第３の領域は、ピット深さが３０ｎｍ、ピット列の平均デューティが略８０％、蛇行振幅が前記第１の領域の蛇行振幅の略１．３倍にそれぞれ設定されることを特徴とする。
【００１４】
この発明によれば、請求項３に記載の発明に対し、具体的な条件が与えられている。よって、特にＤＶＤ−ＲＷを用いて構成する場合に好適な設計条件を与えることができる。
【００１５】
請求項５に記載の光学式記録媒体は、請求項２に記載の光学式記録媒体において、前記第３の領域の蛇行振幅は、前記第１の領域の蛇行振幅と同一に設定されていることを特徴とする。
【００１６】
この発明によれば、請求項１、２に記載の発明と同様の作用に加えて、第１の領域の蛇行振幅と第３の領域の蛇行振幅が同一になっている。よって、第１の領域のグルーブトラックの深さと第３の領域のピット深さを変えるだけで、上述のようにウォブル信号の出力レベルを同一に保つことができる。
【００１７】
請求項６に記載の光学式記録媒体は、請求項５に記載の光学式記録媒体において、前記第１の領域は、グルーブトラックの深さが３０ｎｍに設定され、前記第２の領域は、ピット深さが８０ｎｍ、ピット列の平均デューティが略５０％、蛇行振幅が前記第１の領域の蛇行振幅の略２．７倍にそれぞれ設定され、前記第３の領域は、ピット深さが５０ｎｍ、ピット列の平均デューティが略８０％、蛇行振幅が前記第１の領域の蛇行振幅と同一にそれぞれ設定されることを特徴とする。
【００１８】
この発明によれば、請求項５に記載の発明に対し、具体的な条件が与えられている。よって、特にＤＶＤ−ＲＷを用いて構成する場合に好適な設計条件を与えることができる。
【００１９】
請求項７に記載の光学式記録媒体製造装置は、記録情報を光学的に記録可能な光学式記録媒体を、光ディスク原盤を用いて製造する光学式記録媒体製造装置において、一定周波数のウォブル信号により変調された光ビームを用いてグルーブトラックを蛇行させつつ前記光ディスク原盤にカッティングし、前記記録情報が記録される第１の領域を形成する第１の領域形成手段と、前記ウォブル信号により変調された光ビームを用いて、前記記録情報の再生制御に必要な制御データに対応する位相ピット列を、前記制御データの読み出しを可能とし、かつ当該位相ピット列上に上書き記録された他のデータの読み出しを妨げるピット深さにより、前記光ディスク原盤に蛇行させつつカッティングし、第２の領域を形成する第２の領域形成手段と、前記ウォブル信号により変調された光ビームを用いて、所定のデータに対応する位相ピット列を、前記光学式記録媒体上に対する記録位置を示すアドレス情報を含むプリピットの読み出しを可能とし、かつ当該位相ピット列上に上書き記録された他のデータの読み出しを妨げるピット深さにより、前記光ディスク原盤に蛇行させつつカッティングし、第３の領域を形成する第３の領域形成手段とを備え、前記第２の領域形成手段と前記第３の領域形成手段では、前記光ディスク原盤を用いて製造された光学式記録媒体の再生時に前記それぞれの領域から抽出されるウォブル信号の出力レベルが前記第１の領域から抽出されるウォブル信号の出力レベルと略同一となるように、光ビームに対する前記ウォブル信号による変調の度合を設定することを特徴とする。
【００２０】
また、請求項９に記載の光学式記録媒体製造装置は、記録情報を光学的に記録可能な光学式記録媒体を、光ディスク原盤を用いて製造する光学式記録媒体製造方法において、一定周波数のウォブル信号により変調された光ビームを用いてグルーブトラックを蛇行させつつ前記光ディスク原盤にカッティングし、前記記録情報が記録される第１の領域を形成する第１の領域形成工程と、前記ウォブル信号により変調された光ビームを用いて、前記記録情報の再生制御に必要な制御データに対応する位相ピット列を、前記制御データの読み出しを可能とし、かつ当該位相ピット列上に上書き記録された他のデータの読み出しを妨げるピット深さにより、前記光ディスク原盤に蛇行させつつカッティングし、第２の領域を形成する第２の領域形成工程と、前記ウォブル信号により変調された光ビームを用いて、所定のデータに対応する位相ピット列を、前記光学式記録媒体上に対する記録位置を示すアドレス情報を含むプリピットの読み出しを可能とし、かつ当該位相ピット列上に上書き記録された他のデータの読み出しを妨げるピット深さにより、前記光ディスク原盤に蛇行させつつカッティングし、第３の領域を形成する第３の領域形成工程と、を備え、前記第２の領域形成工程と前記第３の領域形成工程では、前記光ディスク原盤を用いて製造された光学式記録媒体の再生時に前記それぞれの領域から抽出されるウォブル信号の出力レベルが前記第１の領域から抽出されるウォブル信号の出力レベルと略同一となるように、光ビームに対する前記ウォブル信号による変調の度合を設定することを特徴とする。
【００２１】
請求項７と請求項９にそれぞれ記載の発明によれば、光学式記録媒体の製造に用いる光ディスク原盤に対し、グルーブトラックがカッティングされた第１の領域、複数の位相ピットが設けられた第２の領域及び第３の領域を形成する。このとき、各領域の形成に用いる光ビームのウォブル信号で変調するので、それぞれに蛇行パターンが形成される。そして、第２の領域と第３の領域ではカッティングするピット深さが異なる場合であっても、上記変調の度合が適切に設定されているので、基準となる第１の領域の場合と略同一の蛇行振幅で形成することできる。よって、スタンパを用いて製造された光学式記録媒体は、異なる領域において常にウォブル信号の出力レベルを一定に保つことができ、高精度な同期制御を行うことができる。
【００２２】
請求項８に記載の光学式記録媒体製造装置は、請求項７に記載の光学式記録媒体製造装置において、前記第１の領域形成手段及び前記第３の領域形成手段は、前記プリピットを形成することを特徴とする。
【００２３】
請求項１０に記載の光学式記録媒体製造装置は、請求項９に記載の光学式記録媒体製造方法において、前記第１の領域形成工程及び前記第３の領域形成工程では、前記プリピットを形成することを特徴とする。
【００２４】
請求項８と請求項１０にそれぞれ記載の発明によれば、請求項７と請求項９にそれぞれ記載の発明と同様の作用に加えて、プリピットが第１及び第３の領域において形成される。よって、プリピットの有無に応じて、第２の領域と第３の領域の位相ピットを、互いに異なるピット深さで形成する場合であっても、上述のようにスタンパを用いて製造された光学式記録媒体は、異なる領域において常にウォブル信号の出力レベルを一定に保つことができる。
【発明の効果】
【００２５】
本発明によれば、第１の領域、第２の領域、第３の領域を設けた光学式記録媒体に対し、各領域を蛇行形成することにより抽出されるウォブル信号のレベルを常に一定に保ち、同期制御を安定に行うことできる。
【発明を実施するための最良の形態】
【００２６】
本発明の好適な実施の形態について、図１〜図１４を参照して説明する。なお、以下では、記録情報を記録可能な光学式記録媒体としてのＤＶＤ−ＲＷに対して本発明を適用した場合の実施の形態について説明する。
【００２７】
図１は、本実施形態に係るＤＶＤ−ＲＷの平面図であり、ＤＶＤ−ＲＷの出荷時における平面図である。図１に示すように、本実施形態に係るＤＶＤ−ＲＷ１には、出荷時にＤＶＤ−ＲＷ１に対して記録情報を記録する情報記録装置（不図示）のスピンドルモータに固定する際に用いられるクランプ孔ＣＨがその中央に開口されている。また、ＤＶＤ−ＲＷ１には、記録情報の再生制御に必要な制御データに対応するエンボスピット列が埋め込まれた第２の領域（再生専用領域ＲＡ）と、所定のデータに対応するエンボスピット列が埋め込まれた第３の領域（不可能領域ＵＡ）とが同心円状に形成されている。本実施例によれば、再生専用領域ＲＡのエンボスピット列は制御データの読み出しが可能とされており、不可能領域ＵＡのエンボスピット列は所定のデータの読み出しが不可能とされている。これらの再生専用領域ＲＡと不可能領域ＵＡとは、上述したようにＤＶＤ−ＲＷ１に対する不法複写を防止すべく、ＤＶＤ−ＲＯＭの再生制御情報等の記録領域に相当するＤＶＤ−ＲＷ１上の領域であり、他の制御データを上書き記録不能とした領域である。
【００２８】
そして、上記情報記録装置において、ＤＶＤ−ＲＷ１に記録情報を記録するに当たって最初に初期化処理が実行された後においては、ＤＶＤ−ＲＷ１には、図１に破線で示すようにその内周側から、制御情報領域ＲＩと、リードインエリアＬ１と、本発明の第１の領域としての記録領域ＤＡとが形成されている。
【００２９】
制御情報領域Ｒ１には、ＤＶＤ−ＲＷ１に対する記録情報の記録及び再生に用いられる制御情報が初期化時に記録される。具体的な制御情報としては、例えば、記録及び再生を行う光ビームの強度の設定情報や、記録に用いる記録制御情報などが含まれる。リードインエリアＬ１には、記録及び再生の開始を示す開始情報が初期化時に記録される。記録領域ＤＡは、ＤＶＤ−ＲＷ１に各種コンテンツ等の記録情報を実際に記録するための領域である。なお、図１において、出荷時に既に形成されている再生専用領域ＲＡ及び不可能領域ＵＡのそれぞれの区画線を実線で示し、初期化後に形成される制御情報領域ＲＩ、リードインエリアＬＩ、記録領域ＤＡのそれぞれの区画線を破線で示して区別している。
【００３０】
ＤＶＤ―ＲＷ１に対する上記の初期化処理が終了した時点では、再生専用領域ＲＡと不可能領域ＵＡは共にリードインエリアＬＩに含まれることになる。また、ＤＶＤ−ＲＷ１全体に対する記録情報の記録が終了する際に、記録終了を示す終了情報が記録されるリードアウトエリアが、記録領域ＤＡの最外周部に形成されることになる。
【００３１】
次に図２は、後述のプリピットが形成されたＤＶＤ−ＲＷ１の構造を示す断面図である。それぞれ、図２（ａ）は、記録領域ＤＡにおけるＤＶＤ−ＲＷ１の構造を示す斜視図であり、図２（ｂ）は、図２（ａ）の矢印方向からグルーブトラックを見た断面図である。
【００３２】
上記ＤＶＤ−ＲＷ１においては、再生専用領域ＲＡを除いた領域に、出荷時の段階でランドトラック３にプリピット４が形成される。このプリピット４は、ＤＶＤ−ＲＷ１に記録する際の記録位置を示すアドレス情報がプリ情報として記録されている。
【００３３】
また、上記ＤＶＤ−ＲＷ１のグルーブトラック２には、同様に出荷時の段階で、回転制御等の記録動作全般の同期制御に用いるウォブル信号を発生させるためのウォブリングが施されている。すなわち、ＤＶＤ−ＲＷ１には、一定の周期で蛇行するグルーブトラック２が予め形成されている。
【００３４】
図２（ａ）、（ｂ）において、ＤＶＤ−ＲＷ１は相変化薄膜からなる記録層１１を備えた相変化型の光ディスクであり、記録トラックとしてのグルーブトラック２と、グルーブトラック２に隣接するガイドトラックとしてのランドトラック３が基板９上に交互に形成されている。グルーブトラック２には、再生時又は記録時に、波長６５０ｎｍの光ビームＢが照射され、ランドトラック３の作用により光ビームＢをグルーブトラック２に誘導させることができる。
【００３５】
図２（ｂ）に示すように、グルーブトラック２は、基板９上に、樹脂層９Ａ、反射層６、保護層８、記録層１１、保護層５、保護膜７が順に積層された断面構造になっている。保護層５、８は、記録層１１を挟むように配置され、記録層１１を保護する機能を有する。反射層６は、照射された光ビームＢを反射する役割を担う。保護膜７と樹脂層９Ａは、上記の各層を外気等から保護するために設けられている。
【００３６】
このとき、グルーブトラック２の深さは記録層１１の位置で２０ｎｍ以上３５ｎｍ以下とされており、また、隣接する２つのグルーブトラック２の中心線同士の間隔は、０．７４μｍとされている。
【００３７】
一方、上述したように、ランドトラック３には上記プリ情報に対応するプリピット４が出荷時の段階で形成されている。そして、情報記録装置がＤＶＤ−ＲＷ１に記録情報を記録する際には、プリピット４を検出して予め記録されているプリ情報を後述するように取得し、これに基づいて光ビ−ムＢの最適出力等を設定すると共に、プリ情報としてのアドレス情報に基づいて記録情報の所定の記録位置に記録する。
【００３８】
また、図２（ａ）に示されるように、グルーブトラック２が蛇行して形成され、上記ウォブリングが施されている。グルーブトラック２のウォブリングに基づいて抽出されるウォブル信号は、比較的低い周波数（具体的には、１４０ｋＨｚ）の周期信号になっている。また、グルーブトラック２の蛇行振幅としてのウォブリング振幅は一定に保たれているので、抽出されるウォブル信号のレベルも一定になる。そして、情報記録装置がＤＶＤ−ＲＷ１に記録情報を記録する際には、グル−ブトラック２からの検出信号からウォブル信号を抽出し、これを同期基準としてＤＶＤ−ＲＷ１の動作全般を制御する。
【００３９】
ここで、図２（ａ）に示すように、ＤＶＤ−ＲＷ１に記録情報を記録するときは、グルーブトラック２の中心をトレースさせるように光ビームＢを照射して、グルーブトラック２上に相変化ピットを所定のパターンで形成して記録情報を記録する。
【００４０】
このとき、光ビームＢにより形成される光スポットＳＰは、図２（ａ）に示すように、グルーブトラック２に加え、光スポットＳＰの一部がランドトラック３にも照射可能なサイズになるような配置に設定される。そして、光スポットＳＰの反射光を用いてプッシュプル方式（ＤＶＤ−ＲＷ１の回転方向に平行な分割線により分割された光検出器を用いたラジアルプッシュプル方式）により、プリピット４が担うプリ情報が検出される。なお、光ビームＢをグルーブトラック２に追従させるためのトラッキングサーボ制御に関しても、上記プッシュプル方式に基づいて行われる。
【００４１】
次に、図３及び図４により、ＤＶＤ−ＲＷ１上に形成された再生専用領域ＲＡの構造について説明する。図３は、再生専用領域ＲＡと不可能領域ＵＡとの境界付近の構造を示す平面拡大図である。図４（ａ）は、図３のＡ−Ａ’部から見た再生専用領域ＲＡの断面図であり、図４（ｂ）は、図３のＢ−Ｂ’部から見た再生専用領域ＲＡの断面図である。なお、図４（ａ）は、図２（ａ）に対応する断面図であり、図４（ｂ）は、図２（ｂ）に対応する断面図である。
【００４２】
再生専用領域ＲＡにおいては、図２に示すような連続するグルーブトラック２及びランドトラック３は形成されていない。一方、図３に示すように、再生専用領域ＲＡには、ＤＶＤ−ＲＷ１の再生時に用いる再生制御情報等を担うエンボスピット列としての複数の位相ピットＰＩが形成されている。この位相ピットＰＩに基づいて、光ビームＢを照射したときに生じる回折に起因して反射光のレベルが変化することにより、位相ピットＰＩの有無を判別して再生制御情報等の検出が可能となる。
【００４３】
図３に示すように、再生専用領域ＲＡに形成された位相ピットＰＩにより、中心線ＣＬに沿って断続的に並ぶピット列は蛇行して配置され、一定の周期でウォブリングが施されている。そして、位相ピットＰＩのピット列が蛇行する周期は、図２に示すグルーブトラック２のウォブリング周期と同様の周期に設定されている。また、位相ピットＰＩのピット列のウォブリング振幅は、後述のようにウォブル信号のレベルを考慮して適切に設定されている。このように、再生専用領域ＲＡにおける位相ピットＰＩのピット列をトレースする場合も、ウォブル信号の抽出が可能となる。
【００４４】
ここで、再生専用領域ＲＡ内の位相ピットＰＩの深さは、制御データの読み出しを可能とし、かつこの位相ピット列上に上書き記録された他の制御データの読み出しを妨げるため、記録層１１の位置で６０ｎｍ以上９０ｎｍ以下とされている。また、ＤＶＤ−ＲＷ１の半径方向に相隣接する位相ピットＰＩの中心線同士の間隔は、グルーブトラック２の場合と同様に０．７４μｍとされている。そして、本実施形態においては、再生専用領域ＲＡ内の位相ピットＰＩのピット列に基づくウォブル信号のレベルを、上記グルーブトラック２に施されたウォブリングに基づくウォブル信号と同様のレベルにすべく、位相ピットＰＩの深さを適切に設定しているが、詳しくは後述する。
【００４５】
なお、再生専用領域ＲＡにおいて位相ピットＰＩが形成されていない部分は、図４（ｂ）に示すように全くの平面とされている。
【００４６】
また、再生専用領域ＲＡには、プリピット４は形成されていない。これは、後述するように位相ピットＰＩとプリピット４とが同じ深さに形成されるため、両者が同一の領域内に存在すると互いに光学的に干渉し合って双方の検出が困難となるからである。
【００４７】
次に、図３により、ＤＶＤ−ＲＷ１に形成された不可能領域ＵＡの構造について説明する。上述した不可能領域ＵＡには、図３に示すように、再生専用領域ＲＡと同様に連続するグルーブトラック２及びランドトラック３は形成されていない。一方、不可能領域ＵＡには、エンボスピット列としての複数の位相ピットＰＩ’が形成され、８−１６変調された所定のデータに対応している。また、位相ピットＰ’のピット列にもウォブリングが施されている。
【００４８】
ここで、不可能領域ＵＡの位相ピットＰＩ’の深さは、プリピット４の読み出しを可能とし、かつこの位相ピット列上に上書き記録された他の制御データの読み出しを妨げるため、記録層１１の位置で２０ｎｍ以上３５ｎｍ以下とされ、グルーブトラック２と同様になっている。このように構成された不可能領域ＵＡ内の記録層１１に光ビームが照射され相変化ピットが形成された場合には、その上部にある位相ピットＰＩ’との干渉に起因して、相変化ピットの内容を検出することができない。
【００４９】
なお、不可能領域ＵＡには、上記プリピット４によりアドレス情報が記録されている。従って、記録時にＤＶＤ−ＲＷ１の回転に伴って記録領域ＤＡに記録用の光ビームＢが達するのに先立って、ＤＶＤ−ＲＷ１上の記録位置を情報記録装置において把握できることとなる。
【００５０】
次に、図５により、本実施形態に係るＤＶＤ−ＲＷ１における記録フォーマットについて説明する。図５は、リードインエリアＬＩと記録領域ＤＡが形成された後におけるＤＶＤ−ＲＷ１の記録フォーマットの一部を示す図である。
【００５１】
図５に示すように、上記の初期化処理が行われた後においては、リードインエリアＬＩ内には、内周側から、イニシャルゾーンＩＺと、参照コードゾーンＲＺと、第１バッファゾーンＢ１と、上述した再生専用領域ＲＡ及び不可能領域ＵＡと、第２バッファゾーンＢ２とが形成されている。このうち、イニシャルゾーンＩＺ、第１バッファゾーンＢ１、第２バッファゾーンＢ２には、全てのビット列にゼロデータが記録されている。また、参照コードゾーンＲＺには、上記開始情報等を含む参照コードが記録されている。
【００５２】
図５の左側に示すように、プリピット４が担うアドレス情報は、イニシャルゾーンＩＺ、参照コードゾーンＲＺ、第１バッファゾーンＢ１については内周側から順次インクリメントするように設定されている。これに対し、不可能領域ＵＡと第２バッファゾーンＢ２については記録領域ＤＡの最内周部（第２バッファゾーンＢ２の最外周部）から順次デクリメントするように設定されている。上述のように、プリピット４が形成されない再生専用領域ＲＡにはアドレス情報が設定されないので、その前後でアドレス情報が不連続に設定されている。
【００５３】
一方、ＤＶＤフォーマットに対応するセクタ番号については、図５の右側に示すように設定される。すなわち、再生専用領域ＲＡについては、出荷時に予め位相ピットＰＩによりセクタ番号が記録されるのに対し、再生専用領域ＲＡ及び不可能領域ＵＡを除くリードインエリアＬＩ内については、初期化後に連続的に配置されるセクタ番号が設定される。このとき、不可能領域ＵＡについては、その最内周部と最外周部との間で連続して変化するようにセクタ番号が設定されている。
【００５４】
次に、図６により、再生専用領域ＲＡにおける位相ピットＰＩの深さと光学的特性の関係について説明する。図６は、再生専用領域ＲＡの位相ピットＰＩの深さに対し、位相ピットＰＩにより検出される検出信号の出力レベル及びプッシュプル方式に基づくトラッキングエラー信号の出力レベルとの関係についての実験結果を示す図である。
【００５５】
上述したように、再生専用領域ＲＡにおいてトラッキングサーボ制御を正確に行いつつ、位相ピットにより記録されているセクタ情報等を検出するためには、検出信号とトラッキングエラー信号とが共に良好な出力レベルで検出される必要がある。図６において、検出信号及びトラッキングエラー信号の双方の出力レベルを許容範囲にするには、位相ピットＰＩの深さを６０ｎｍ以上９０ｎｍ以下（図６中Ｂ領域）に設定する必要がある。また、位相ピットＰＩの深さを７０ｎｍ以上８０ｎｍ以下（図６中Ａ領域）に設定すれば、検出信号及びトラッキングエラー信号の双方の出力レベルを更に最適化することができる。
【００５６】
次に、図７を用いて、上述のような構造を有するＤＶＤ−ＲＷ１を製造するカッティング装置について説明する。図７は、本実施形態に係るカッティング装置の概略構成を示すブロック図である。
【００５７】
図７に示すように、本実施形態に係るカッティング装置は、ランドデータ発生器２０と、パラレル／シリアル変換器２１と、プリフォーマット用エンコーダ２２と、クロック信号発生部２３と、レーザ発生装置２４と、光変調器２５と、対物レンズ２６と、スピンドルモータ２９と、回転検出器３０と、回転サーボ回路３１と、送りユニット３２と、位置検出器３３と、送りサーボ回路３４と、ＣＰＵ４０と、グルーブデータ発生器５０と、ウォブル信号発生器５１と、可変利得アンプ５２と、スイッチ５３とにより構成されている。
【００５８】
また、光ディスク原盤は、ガラス基板２７と、このガラス基板２７上にコーティングされたレジスト２８とにより構成されている。レジスト２８は、後述の光ビームＢＧ、ＢＬが照射されることにより感光され、光ビームＢＧ、ＢＬの強度の変化に対応した形状のピットが形成されるものである。
【００５９】
図７において、ランドデータ発生器２０は、ＣＰＵ４０の制御の下、ランドトラック３に形成されるプリピット４のパターンに対応するパラレルデータを出力する。出力されたパラレルデータは、パラレル／シリアル変換器２１によってシリアルデータに変換される。そして、このシリアルデータは、プリフォーマット用エンコーダ２２に入力され、クロック信号発生部２３から供給されるプリフォーマッティング用のクロック信号に基づいて、ランドトラック３やプリピット４を実際に光ディスク原盤上に形成するためのランドデータ信号ＳＬが生成され、光変調器２５に出力される。
【００６０】
一方、グルーブデータ発生器５０は、ＣＰＵ４０の制御の下、グルーブトラック２、あるいは、予め形成すべき位相ピットＰＩ、ＰＩ’のパターンに対応するグルーブデータを生成し、スイッチ５３に対する制御信号として出力する。
【００６１】
また、ウォブル信号発生器５１は、グルーブトラック２のウォブリングを施すためのウォブル信号を発生する。そして、ウォブル信号は、可変利得アンプ５２によりＣＰＵ４０の制御に基づく所定のウォブルゲインで増幅された後、スイッチ５３に出力される。
【００６２】
上述のようにスイッチ５３では、ゲインを付与されたウォブル信号とグランドレベルが入力され、グルーブデータ発生器５０から出力されるグルーブデータに基づいて切り換え制御が行われる。これにより、実際に光ディスク原盤上にグルーブトラック２の形状を形成するためのグルーブデータ信号ＳＧを光変調器２５に出力する。
【００６３】
レーザ発生装置２４は、光ディスク原盤に対し、グルーブトラックを形成するための第１の光ビームＢＧと、ランドトラック３のプリピット４を形成するための第２の光ビームＢＬを出射する。上述した光変調器２５において、第１の光ビームＢＧに対してはグルーブデータ信号ＳＧに基づく変調が施される一方、第２の光ビームＢＬに対してはランドデータ信号ＳＬに基づく変調が施される。更に、レーザ発生装置２４におけるレーザパワーは、ＣＰＵ４０の制御に従って所定のタイミングで制御される。そして、光ビームＢＧ、ＢＬは、対物レンズ２６を介して光ディスク原盤上に集光される。
【００６４】
このとき、スピンドルモータ２９が光ディスク原盤を回転させると共に、回転検出器３０が光ディスク原盤の回転を検出する。これにより、回転サーボ回路３１が光ディスク原盤の回転を制御すると共に、回転に同期した回転パルスを出力する。
【００６５】
位置検出器３３は、送りユニット３２の位置を検出し、その検出信号を送りサーボ回路３４に出力する。送りサーボ回路３４は、位置検出器３３からの検出信号に基づいて、送りユニット３２の位置情報を取得し、これにより送りユニット３２の移動をサーボ制御する。
【００６６】
以上のような動作が行われることにより、螺旋状のトラックとエンボスピット列に対応する凹凸形状が光ディスク原盤上に形成され、かかる光ディスク原盤に基づいて光ディスク製造のための抜き型としてのスタンパディスクが作成されることになる。その後は、スタンパディスクを用いたレプリケーションプロセスが実行され、本発明に係るレプリカディスクとしてのＤＶＤ−ＲＷ１が大量生産される。
【００６７】
次に、図８〜図１０に示すフローチャートにより、本実施形態に係るカッティング装置において行われる光ディスク原盤のカッティング処理について説明する。なお、この処理は図示しないメモリ手段に格納される制御プログラムに従って、主にＣＰＵ４０により行われる。
【００６８】
図８に示すように、カッティング装置における処理が開始されると、可変利得アンプ５２におけるウォブルゲインと、レーザ発生装置２４におけるレーザパワーの初期設定を行う（ステップＳ１）。ここでは、標準的なウォブリング量でグルーブトラック２を形成する場合のウォブルゲインを設定すると共に、グルーブトラック２の深さが３０ｎｍとなるようなレーザパワーを設定する。
【００６９】
続いて、光ディスク原盤に対し、グルーブトラック２とランドトラック３のプリピット４の形成を開始する（ステップＳ２）。すなわち、回転サーボ回路３１及び送りサーボ回路３４を制御しつつ、レーザ発生装置２４を駆動制御して、第１の光ビームＢＧと第２の光ビームＢＬの光ディスク原盤への照射を開始する。
【００７０】
そして、プリピット４に記録すべきアドレス情報を参照して、再生専用領域ＲＡに到達したか否かを判定する（ステップＳ３）。図５に示されるように、再生専用領域ＲＡの先頭アドレス００２Ｆ２０ｈを検出すればよい。ステップＳ３の判定の結果、再生専用領域ＲＡに到達したときは（ステップＳ３；ＹＥＳ）、再生専用領域ＲＡの形成処理を行う（ステップＳ４）。
【００７１】
ここで、図９により、ステップＳ４の具体的な処理を説明する。図９に示す再生専用領域ＲＡの形成処理が開始されると、上述のように再生専用領域ＲＡにはプリピット４がないので、プリピット４の形成を一時停止する（ステップＳ１１）。よって、光ディスク原盤に対するレーザ発生装置２４による第２の光ビームＢＬの照射は停止される。
【００７２】
次に、再生専用領域ＲＡにおける位相ピットＰＩのピット列によるウォブリング振幅に適合するように、ウォブルゲインを設定する（ステップＳ１２）。また、再生専用領域ＲＡにおける位相ピットＰＩの深さに適合するように、レーザパワーを設定する（ステップＳ１３）。なお、再生専用領域ＲＡにおけるウォブリング振幅と位相ピットＰＩの深さの具体的な設定については後述する。
【００７３】
次に、再生専用領域ＲＡに位相ピットＰＩを用いて記録すべきセクタ番号を００２Ｆ２００ｈにセットする（ステップＳ１４）。これは、図５に示されるように、再生専用領域ＲＡの先頭のセクタ番号に対応している。
【００７４】
次に、再生専用領域ＲＡの位相ピットＰＩの形成を開始する（ステップＳ１５）。これにより、再生専用領域ＲＡには、位相ピットＰＩのピット列が所定のウォブリング振幅とピット深さで形成されることになる。
【００７５】
そして、ステップＳ１５以降、上記のセクタ番号を参照して、不可能領域ＵＡに到達したか否かを判定する（ステップＳ１６）。図５に示されるように、不可能領域ＵＡの先頭アドレス００２ＦＤ０ｈに対応するセクタ番号を検出すればよい。ステップＳ１６の判定の結果、不可能領域ＵＡに到達したときは（ステップＳ１６；ＹＥＳ）、図８のステップＳ５に移行する。
【００７６】
次に、図８に示すように、不可能領域ＵＡの形成処理を行う（ステップＳ５）。  ここで、図１０により、ステップＳ５の具体的な処理を説明する。図１０に示す不可能領域ＵＡの形成処理が開始されると、上述のように不可能領域ＵＡにはプリピット４を形成する必要があるので、プリピット４により記録するアドレスを００２ＦＤ０ｈにセットする。これは、上述したように、不可能領域ＵＡの先頭アドレスに対応している。
【００７７】
そして、ステップＳ１１にて一時停止されていたプリピット４の記録を再開する（ステップＳ２２）。これ以降、光ディスク原盤に対するレーザ発生装置２４による第２の光ビームＢＬの照射が行われる。
【００７８】
次に、不可能領域ＵＡにおける位相ピットＰＩ’のピット列によるウォブリング振幅に適合するように、ウォブルゲインを設定する（ステップＳ２３）。また、再生専用領域ＲＡにおける位相ピットＰＩ’の深さに適合するように、レーザパワーを設定する（ステップＳ２４）。なお、不可能領域ＵＡにおけるウォブリング振幅と位相ピットＰＩ’の深さの具体的な設定については後述する。
【００７９】
次に、不可能領域ＵＡの位相ピットＰＩ’の形成を開始する（ステップＳ２５）。これにより、不可能領域ＵＡには、位相ピットＰＩ’のピット列が所定のウォブリング振幅と深さで形成されると共に、これに隣接してアドレス情報を担うプリピット４が形成されることになる。
【００８０】
そして、ステップＳ２５以降は上記のアドレス情報を参照しつつ、第２バッファゾーンＢ２に到達したか否かを判定する（ステップＳ２６）。図５に示されるように、第２バッファゾーンＢ２の先頭アドレス００２ＦＥ０ｈを検出すればよい。ステップＳ２６の判定の結果、第２バッファゾーンＢ２に到達したときは（ステップＳ２６；ＹＥＳ）、図８のステップＳ６に移行する。
【００８１】
次に、図８に示すように、上述のように設定を変更したウォブルゲインとレーザパワーをステップＳ１と同様の初期設定状態に戻す（ステップＳ６）。これ以降は、標準的なウォブリング量であって、深さが３０ｎｍとなるグルーブトラック２が形成されることになる。
【００８２】
そして、ステップＳ６以降は上記のアドレス情報を参照しつつ、ＤＶＤ−ＲＷ１における所定の記録終了位置に到達したか否かを判定する（ステップＳ７）。その結果、記録終了位置に到達したときは（ステップＳ７；ＹＥＳ）、図８〜図１０のカッティング処理を終了する。
【実施例】
【００８３】
次に、本実施形態において、再生専用領域ＲＡと不可能領域ＵＡに関する具体的な構成の実施例を説明する。以下の実施例では、再生専用領域ＲＡと不可能領域ＵＡにおけるウォブル信号の出力レベルを最適化すべく、それぞれの位相ピットＰＩ、ＰＩ’のピット列に対するウォブリング振幅及びピット深さを適宜に設定すべきパラメータとしている。
【００８４】
まず、図１１及び図１２を用いて、上記各パラメータとウォブル信号の出力特性との関係についてのシミュレーション結果を説明する。図１１は、ピット深さ（グルーブ深さ）に対するプッシュプル方式に基づくトラッキングエラー信号の出力レベルの関係を求めたシミュレーション例である。また、図１２は、ウォブリング振幅に対するウォブル信号の出力レベルの関係を求めたシミュレーション例である。
【００８５】
図１１においては、グルーブトラック２が形成されるグルーブ部と、グルーブトラック２の代わりにデューティ８０％及び５０％の位相ピットからなる２種のピット列についての特性を比較して示している。なお、図１１における３つの特性は、ウォブリング振幅を一定値とした場合に対応する。また、図１１では、縦軸をトラッキングエラー信号の出力レベルとしているが、ウォブル信号とトラッキングエラー信号はそれぞれ出力レベルが比例するので、図１１の縦軸をウォブル信号の出力レベルとしても同様のカーブとなる。
【００８６】
ここで、ピット列のデューティは、トラック方向の長さにおける位相ピット形成部分の比率の平均値を表している。セクタ情報等が記録される再生専用領域ＲＡは、ピット配置に自由度がないため、概ねデューティ５０％を想定する。一方、ピット配置がランダムである不可能領域ＵＡは、ある程度デューティの調節が可能であり、よりグルーブ部に近い条件としてデューティ８０％を想定する。なお、グルーブ部の場合は、デューティ１００％とみなすことができる。
【００８７】
図１１から明らかなように、ピット深さ（グルーブ深さ）が同一である場合は、デューティが小さくなると、出力レベルも小さくなる関係にある。これは、位相ピット部分が減ることにより、照射した光ビームに与える位相変化が小さくなるためである。
【００８８】
図１１において、グルーブ部のグルーブ深さを、規格に対応して３０ｎｍに設定するものとする。また、再生専用領域ＲＡでは、図６に示す光学的特性に基づく好適な範囲のうち、位相ピットＰＩの深さを８０ｎｍに設定するものとする。これに対し、不可能領域ＵＡではプリピット４の検出性能を考慮して、位相ピットＰＩ’のピット深さを小さくする必要がある。ここでは、不可能領域ＵＡの位相ピットＰＩ’の深さを３０ｎｍと５０ｎｍの２通りに設定するものとする。なお、図１１において、それぞれ設定されたピット深さ（グルーブ深さ）の位置を点線にて示している。
【００８９】
次に、図１２においては、ピット深さ（グルーブ深さ）を上記の条件に設定した場合、ウォブリング振幅を変化させた場合のウォブル信号の出力レベルの変化を示している。なお、不可能領域ＵＡの位相ピットＰＩ’の深さとして、３０ｎｍを設定した場合が条件Ａに対応し、５０ｎｍに設定した場合が条件Ｂに対応する。
【００９０】
図１２から明らかなように、ウォブリング振幅とウォブル信号の出力レベルは比例関係にある。また、図１１の特性に対応して、同じウォブリング振幅であっても、グルーブ部及び不可能領域ＵＡの条件Ｂ、不可能領域ＵＡの条件Ａ、再生専用領域ＲＡの順に抽出されるウォブル信号の出力レベルが小さくなっていく。そこで、本実施形態では、ウォブリング振幅を調整することにより、図１２に示すような上記条件の相違に起因するウォブル信号の出力レベルの低下を補償している。
【００９１】
以上の検討に基づき、本実施形態に係るＤＶＤ−ＲＷの２つの実施例について図１３及び図１４により説明する。図１３は、第１の実施例の構成を示す図であり、図１４は、第２の実施例の構成を示す図である。
【００９２】
図１３、図１４に示す２つの実施例において、グルーブ部の条件と、再生専用領域ＲＡの条件はそれぞれ共通になっている。すなわち、グルーブ深さが３０ｎｍに設定されると共に、ウォブリング振幅Ｘは標準として予め定められた所定量が設定されている。また、再生専用領域ＲＡにおける位相ピットＰＩは、デューティ５０％の条件の下、ピット深さが８０ｎｍに設定されると共に、ウォブリング振幅が２．７Ｘに設定されている。
【００９３】
そして、図１３に示す第１の実施例では、不可能領域ＵＡにおける位相ピットＰＩ’は、デューティ８０％の条件の下、ピット深さが３０ｎｍに設定されると共に、ウォブリング振幅が１．３Ｘに設定される。このとき、図１２の下部に示すように、グルーブ部で抽出されるウォブル信号の出力レベルＹに対し、不可能領域ＵＡと再生専用領域ＲＡでそれぞれ抽出されるウォブル信号が同様の出力レベルＹとなることがわかる。
【００９４】
次に、図１４に示す第２の実施例では、不可能領域ＵＡにおける位相ピットＰＩ’は、デューティ８０％の条件の下、ピット深さが５０ｎｍに設定されると共に、ウォブリング振幅がＸに設定される。この場合も、図１３の下部に示すように、グルーブ部で抽出されるウォブル信号の出力レベルＹに対し、不可能領域ＵＡと再生専用領域ＲＡでそれぞれ抽出されるウォブル信号が同様の出力レベルＹとなることがわかる。
【００９５】
このように、第１の実施例と第２の実施例は、いずれも各領域のウォブル信号の出力レベルを略同一にすることできる。そして、第１の実施例では、グルーブ部と不可能領域ＵＡは、共通のピット深さ（グルーブ深さ）３０ｎｍが設定されている。一方、第２の実施例では、グルーブ部と不可能領域ＵＡは、共通のウォブリング振幅Ｘが設定されている。
【００９６】
以上説明したように、本実施形態に係るＤＶＤ−ＲＷ１によれば、不法複写を防止するための再生専用領域ＲＡと不可能領域ＵＡを設ける場合であっても、ピット深さやウォブリング振幅などの条件を適切に設定することで、それぞれの領域のウォブリングに基づくウォブル信号の出力レベルを一定に保つことができる。その結果、ウォブル信号を用いて記録再生を制御する際の同期制御の安定化を図ることができる。
【００９７】
なお、本発明は上述した実施形態に限定されるものではない。例えば、上述した実施形態では、記録情報を光学的に記録可能な光学式記録媒体としてＤＶＤ−ＲＷを用いて説明したが、ＤＶＤ−Ｒ等、別のフォーマットに基づく光学式記録媒体であっても本発明を適用可能である。
【００９８】
また、上述した光学式記録媒体製造装置としてのカッティング装置によれば、異なる光ビームＢＧ、ＢＬにより、光ディスク原盤上にプリピット４とグルーブトラック２をそれぞれカッティングするよう構成されているが、光変調器２５により１本の光ビームをディスク半径方向に大きく回折させることにより、プリピット４を形成することもできる。また、かかる光学式記録媒体製造装置によれば、光ビームのパワー調整により位相ピットの深さを変更するよう構成されているが、光変調器２５の制御により、それらを行わせることもできる。
【図面の簡単な説明】
【００９９】
【図１】本実施形態に係るＤＶＤ−ＲＷの平面図である。
【図２】プリピットが形成されたＤＶＤ−ＲＷの構造を示す図であり、（ａ）は斜視図で、（ｂ）は断面図である。
【図３】再生専用領域及び不可能領域の構造を示す平面拡大図である。
【図４】再生専用領域の構造を示す断面図であり、（ａ）は位相ピットが形成されている部分の断面図であり、（ｂ）は位相ピットが形成されていない部分の段面図である。
【図５】本実施形態に係るＤＶＤ−ＲＷにおける記録フォーマットの一部を示す図である。
【図６】本実施形態に対応する実験結果を示す図である。
【図７】本実施形態に係るカッティング装置の概略構成を示すブロック図である。
【図８】本実施形態に係るカッティング装置において行われる光ディスク原盤のカッティング処理を示すフローチャートである。
【図９】本実施形態に係るカッティング装置において行われる光ディスク原盤のカッティング処理のうち、再生専用領域の形成処理を示すフローチャートである。
【図１０】本実施形態に係るカッティング装置において行われる光ディスク原盤のカッティング処理のうち、不可能領域の形成処理を示すフローチャートである。
【図１１】本実施形態に対応するシミュレーション結果のうち、ピット深さ（グルーブ深さ）に対するトラッキングエラー信号の出力レベルの関係を求めたシミュレーション例を示す図である。
【図１２】本実施形態に対応するシミュレーション結果のうち、ウォブリング振幅に対するウォブル信号の出力レベルの関係を求めたシミュレーション例を示す図である。
【図１３】本実施形態に係るＤＶＤ−ＲＷにおける第１の実施例の構成を示す図である。
【図１４】本実施形態に係るＤＶＤ−ＲＷにおける第２の実施例の構成を示す図である。
【符号の説明】
【０１００】
１…ＤＶＤ−ＲＷ
２…グルーブトラック
３…ランドトラック
４…プリピット
５、８…保護層
６…反射層
７…保護膜
９…基板
９Ａ…樹脂層
１１…記録層
２０…ランドデータ発生器
２１…パラレル／シリアル発生器
２２…プリフォーマット用エンコーダ
２３…クロック信号発生部
２４…レーザ発生装置
２５…光変調器
２６…対物レンズ
２７…ガラス基板
２８…レジスト
２９…スピンドルモータ
３０…回転検出器
３１…回転サーボ回路
３２…送りユニット
３３…位置検出器
３４…送りサーボ回路
４０…ＣＰＵ
５０…グルーブデータ発生器
５１…ウォブル信号発生器
５２…可変利得アンプ
５３…スイッチＣＨ…クランプ孔
ＲＡ…再生専用領域（第２の領域）
ＵＡ…不可能領域（第３の領域）
ＲＩ…制御情報領域
ＬＩ…リードインエリア
ＤＡ…記録領域（第１の領域）
Ｂ…光ビーム
ＢＧ…第１の光ビーム
ＢＬ…第２の光ビーム
ＳＰ…光スポット
ＰＩ、ＰＩ’…位相ピット
ＩＺ…イニシャルゾーン
ＲＺ…参照コードゾーン
Ｂ１…第１バッファゾーン
Ｂ２…第２バッファゾーン
【図１】
2006155884.tif 000003
【図２】
2006155884.tif 000004
【図３】
2006155884.tif 000005
【図４】
2006155884.tif 000006
【図５】
2006155884.tif 000007
【図６】
2006155884.tif 000008
【図７】
2006155884.tif 000009
【図８】
2006155884.tif 000010
【図９】
2006155884.tif 000011
【図１０】
2006155884.tif 000012
【図１１】
2006155884.tif 000013
【図１２】
2006155884.tif 000014
【図１３】
2006155884.tif 000015
【図１４】
2006155884.tif 000016